(57)【要約】【課題】所有物を論理的に管理することができ、且つその物理的所在を電子的に検索することができる所有物管理方法を提供することにある。【解決手段】所有物に、所有物特定情報を格納した格納部と該情報を発信する無線通信機能部を有する所有物特定情報発信源を取り付け、局所空間内の格納場所の種々の位置に格納された所有物をこれらの格納位置に近接配置されたセンサと通信させ、これらのセンサから、各所有物の所有物特定情報と該所有物の格納位置情報を周期的に収集し、これらの情報をデータベースに周期的に登録し、局所空間内のユーザが、所有物を格納場所から取り出して利用した後、再び格納場所に戻した場合、該所有物の所要物特定情報のデータベースからの抹消及び再登録に基づき、所有物の利用履歴をデータベースに記録する。【選択図】        図１
2004262599.tif 000002
【特許請求の範囲】
【請求項１】
所有物に、所有物特定情報を発信する所有物特定情報発信源を取り付け、
局所空間内の格納場所の種々の位置に格納された所有物をこれらの格納位置に近接配置されたセンサと通信させ、これらのセンサから、各所有物の所有物特定情報と該所有物の格納位置情報を周期的に収集し、これらの情報をデータベースに周期的に登録し、
局所空間内のユーザが、所有物を格納場所から取り出して利用した後、再び格納場所に戻した場合、該所有物の所要物特定情報のデータベースからの登録抹消及び再登録に基づき、所有物の利用履歴をデータベースに記録することを特徴とする所有物管理方法。
【請求項２】
所有物に、所有物特定情報を発信する所有物特定情報発信源を取り付け、
複数の局所空間内の格納場所の種々の位置に格納された所有物を、各局所空間内のこれらの格納位置に近接配置されたセンサと通信させ、これらのセンサから、各局所空間内の各所有物の所有物特定情報と該所有物の格納位置情報を周期的に収集し、これらの情報を局所空間毎にデータベースに周期的に登録し、
ある局所空間のユーザが格納場所から所有物を取り出し、他のユーザに貸与し、他のユーザが他の局所空間の格納場所に格納した場合、前記データベースのある局所空間の領域から該所有物の登録が抹消され、前記データベースの他の局所空間の領域に該所有物が登録されることに基づいて、所有物の貸与履歴をデータベースの対応領域に記録することを特徴とする所有物管理方法。
【請求項３】
請求項２記載の方法において、各局所空間内のユーザが、所有物を格納場所から取り出して利用した後、再び格納場所に戻した場合、該所有物の所要物特定情報のデータベースからの登録抹消及び再登録に基づき、所有物の利用履歴をデータベースの対応領域に記録することを特徴とする所有物管理方法。
【請求項４】
請求項１又は２記載の方法において、前記データベースには、所有物特定情報及び格納位置情報に加えて、当該所有物の所有者情報も格納することを特徴とする所有物管理方法。
【請求項５】
請求項１−４の何れかに記載の方法において、ユーザは、所有物特定情報の内容に基づくキーワードで前記データベースを検索して該当する所有物の物理的な格納位置を特定することを特徴とする所有物管理方法。
【請求項６】
所有物特定情報を発信する所有物特定情報発信源が付与された所有物と、局所空間内の所有物を管理する局所空間管理機構とを具え、
局所空間管理機構は、局所空間内の所有物格納場所の種々の位置に配置されたセンサと、
これらのセンサから、各所有物の所有物特定情報と該所有物の格納位置情報を周期的に収集し、これらの情報を当該局所管理機構が保持するデータベースに周期的に登録する所有物管理機能部とを具え、
該所有物管理機能部は、当該局所空間内のユーザが、所有物を格納場所から取り出して利用した後、再び格納場所に戻した場合、該所有物の所要物特定情報のデータベースからの登録抹消及び再登録に基づき、所有物の利用履歴をデータベースに記録することを特徴とする所有物管理システム。
【請求項７】
所有物特定情報を発信する所有物特定情報発信源が取り付けられた所有物と、複数の局所空間内の所有物を管理する複数の局所空間管理機構と、仲介機構とを具え、
各局所空間管理機構は、各局所空間内の所有物格納場所の種々の位置に配置されたセンサと、
これらのセンサから、各所有物の所有物特定情報と該所有物の格納位置情報を周期的に収集し、これらの情報を前記仲介機構が保持するデータベースに周期的に登録する所有物管理機能部とを具え、
前記仲介機構は、ある局所空間のユーザが格納場所から所有物を取り出し、他のユーザに貸与し、他のユーザが他の局所空間の格納場所に格納した場合、前記データベースのある局所空間の領域から該所有物の登録が抹消され、前記データベースの他の局所空間の領域に該所有物が登録されることに基づいて、所有物の貸与履歴をデータベースの対応領域に記録する所有物管理機能部具えることを特徴とする所有物管理システム。
【請求項８】
請求項７記載のシステムにおいて、前記仲介機構の所有物管理機能部は、各局所空間内のユーザが、所有物を格納場所から取り出して利用した後、再び格納場所に戻した場合、該所有物の所要物特定情報のデータベースからの登録抹消及び再登録に基づき、所有物の利用履歴をデータベースの対応領域に記録することを特徴とする所有物管理システム。
【請求項９】
請求項６又は７記載のシステムにおいて、各局所空間内のセンサが、所有物特定情報及び格納位置情報に加えて、所有者情報も供給し、これらの情報をデータベースに格納することを特徴とする所有物管理システム。
【請求項１０】
請求項６−９の何れかに記載のシステムにおいて、所有物特定情報の内容に基づくキーワードで前記データベースを検索して該当する所有物の格納位置を特定する検索手段を具えることを特徴とする所有物管理システム。
【発明の詳細な説明】
【０００１】
【発明の属する技術分野】
本発明は所有物管理方法に関するものである。
【０００２】
【従来技術】
従来、個人の所有物を管理するには、所有者が所有物の目録やデータベースを作成するなどの方法があった（例えば、特許文献１参照）。
【０００３】
【特許文献１】
特開２００２−０６００２４号公報
【０００４】
しかし、この方法では、目録やデータベースに蓄積されている所有物の項目と実際の所有物との位置を動的に関連付けることができない。また、所有物に関する利用履歴を動的に記録することもできない。
【０００５】
【発明が解決しようとする課題】
本発明の目的は、所有物を論理的に管理することができ、且つその物理的所在を電子的に検索することができる所有物管理方法を提供することにある。
【０００６】
【課題を解決するための手段】
この目的のために、本発明の第１の所有物管理方法では、
所有物に、所有物特定情報を発信する所有物特定情報発信源を取り付け、
局所空間内の格納場所の種々の位置に格納された所有物をこれらの格納位置に近接配置されたセンサと通信させ、これらのセンサから、各所有物の所有物特定情報と該所有物の格納位置情報を収集し、これらの情報をデータベースに登録し、
局所空間内のユーザが、所有物を格納場所から取り出して利用した後、再び格納場所に戻した場合、該所有物の所要物特定情報のデータベースからの登録抹消及び再登録に基づき、所有物の利用履歴をデータベースに記録することを特徴とする。
【０００７】
この方法によれば、ユーザはパーソナルコンピュータなどでデータベースにアクセスして多数の所有物について何処に何があるかをネットワーク上の仮想空間で把握することができ、これに基づいて実際の所有物を迅速に見つけ出すことができる。
また、利用頻度に基づいて、利用頻度の低い所有物を中古市場に出すなどして、所有物の再利用を行うことが可能となる。
【０００８】
本発明の第２の所有物管理方法では、
複数の局所空間内の格納場所の種々の位置に格納された所有物を、各局所空間内のこれらの格納位置に近接配置されたセンサと通信させ、これらのセンサから、各局所空間内の各所有物の所有物特定情報と該所有物の格納位置情報を収集し、これらの情報を局所空間毎にデータベースに登録し、
ある局所空間のユーザが格納場所から所有物を取り出し、他のユーザに貸与し、他のユーザが他の局所空間の格納場所に格納した場合、前記データベースのある局所空間の領域から該所有物の登録が抹消され、前記データベースの他の局所空間の領域に該所有物が登録されることに基づいて、所有物の貸与履歴をデータベースの該当領域に記録することを特徴とする。
【０００９】
この方法によれば、第１の方法と同様に実際の所有物を迅速に見つけ出すことができるのに加えて、所有物を誰かに貸与しても、貸与履歴に基づいて、誰に貸与したか迅速に把握することができる。
【００１０】
【発明の実施の形態】
図１は本発明の第１の所有物管理方法を実施するシステムの構成例を示す。
図中、１−１，１−２，１−３，．．．は書斎や居間のような局所空間内に位置する所有物であり、各所有物には、所有物特定情報を発信する所有物特定情報発信源１１が取り付けられている。所有物特定情報発信源１１は、所有物特定情報を格納した格納部１２と該情報を発信する無線通信部１３を有するものであり、このような所有物特定情報発信源としては、所有物特定情報を表すバーコードと無線通信機能を組み合わせたものや、所有物特定情報を格納したＩＣチップやメモリと無線通信機能を具える非接触式ＩＣやＲＦＩＤタグなどを使用することができる。例えば、所有物がＣＤの場合には、格納部１２にはＣＤ識別番号、アルバム名、アーチスト名などが格納され、所有物が本の場合には、ＩＳＢＮ番号、書名、著者名などが格納される。
【００１１】
２は局所空間内の所有物を管理する管理機構であり、通信機能部２１と所有物管理機能部２２とデータベース２３とを有し、通信機能部２１は、部屋や本棚のような格納場所の種々の位置に配置されたセンサ２４−１，２４−２，．．．２４−ｎに接続され、これらのセンサは格納場所の種々の位置に格納された所有物の所有物特定情報発信源から発信する所有物特定情報を検出するとともに、該所有物の格納位置情報を供給する。し、これらの情報はデータベース２３に登録される。
【００１２】
本システムでは、局所空間管理機構２の所有物管理機能部２２が、通信機能部２１を介して、局所空間内の本棚のような格納場所の種々の位置に配置されたセンサ２４−１，２４−２，．．．２４−ｎと通信し、これらのセンサから各所有物の所有物特定情報と該所有物の格納位置情報を収集し、これらの情報をデータベース２３に登録する。この情報収集は周期的に実行してデータベースを更新し、常に局所空間Ａ内の所有物の格納状態を最新のものに維持する。
従って、本システムによれば、ユーザは、多数の所有物について、何処に何があるかをデータベースに記録し、論理的に管理することが可能となる。そして、ユーザはパーソナルコンピュータ等でデータベースにアクセスし、行へ不明の所有物の所在を電子的に検索することが可能となり，ＣＤであれば、アルバム名や，アーチスト名から、本であれば、書名や著者名から迅速に探し出すことができる。
【００１３】
また、所有者の異なる複数の格納場所がある場合には、各格納場所のセンサが該格納場所内の所有物の実際の所有者情報も供給するものとし、所有者情報もデータベースに登録することもできる。
この場合には、ユーザは、所有者情報から、複数の格納場所に所有者の異なる同じ種類の本やＣＤが格納されていても、誰のものか特定することができる。また、ユーザＡからユーザＢへ所有権が移った場合でも、データベースの所有権情報を書き換えることで、譲渡の管理が可能となる。
【００１４】
また、本システムでは、例えば局所空間内のユーザが、ＣＤのような所有物を本棚から取り出して利用した後、再び本棚に戻した場合、局所空間管理機構２の所有物管理機能部２２はこの所有物の所要物特定情報の登録抹消及び再登録に基づき、所有物の利用履歴をデータベース２３に記録する。
従って、本システムによれば、特にＣＤや本のような所有物の中から利用頻度の低いものを中古市場に出すなどして、所有物の再利用を行うことが可能となる。
【００１５】
図２は本発明の第２の所有物管理方法を実施するシステムの構成例を示す。
図中、１Ａ−１，１Ａ−２，．．．はユーザＡの書斎や居間のような局所空間Ａ内に位置する所有物であり、１Ｂ−１，１Ｂ−２，．．．はユーザＢの書斎のような局所空間Ｂ内に位置する所有物である。各所有物には、所有物特定情報を格納した格納部１２と該情報を発信する通信機能部１３を有する所有物特定情報発信源１１が取り付けられている。例えば、所有物がＣＤの場合には、格納部１２にはＣＤ識別番号、アルバム名、アーチスト名などが格納され、所有物が本の場合には、ＩＳＢＮ番号、書名、著者名などが格納される。
【００１６】
２Ａは局所空間Ａ内の所有物を管理する管理機構、２Ｂは局所空間Ｂ内の所有物を管理する管理機構である。各局所空間管理機構は通信機能部２１と所有物管理機能部２２を有し、通信機能部２１は、部屋や本棚のような格納場所の種々の位置に配置されたセンサ２４−１，２４−２，．．．２４−ｎに接続され、これらのセンサは格納場所の種々の位置に格納された所有物の所有物特定情報発信源から発信する所有物特定情報を検出するとともに、該所有物の格納位置情報を供給する。これらの情報はデータベース２３に局所空間毎に登録される。
３は仲介機構であり、中継機能部３１と、所有物管理機能部３２、データベース３３とを有する。
【００１７】
本システムでは、局所空間管理機構２Ａの所有物管理機能部２２が、通信機能部２１を用いて、局所空間Ａ内の本棚のような格納場所の種々の位置に配置されたセンサ２４−１，２４−２，．．．２４−ｎと通信し、これらのセンサから、各所有物の所有物特定情報と該所有物の格納位置情報を収集し、これらの情報をネットワークを介して仲介機構３に送る。仲介機構３はこれらの情報を中継機能部３１を介してデータベース３３の領域Ａに登録する。この情報収集は周期的に実行してデータベースを更新し、常に局所空間Ａ内の所有物の格納状態を最新のものに維持する。図３は以上の情報収集及びデータベースへの登録（更新）の手順を示す。
局所空間Ｂにおいても、同様に、局所空間管理機構２Ｂの所有物管理機能部２２が、局所空間Ｂ内の所有物の所有物特定情報と格納位置を周期的に収集し、仲介機構３のデータベース３３の領域Ｂに格納する。
尚、仲介機構３の中継機能部３１は検索時のアクセス制御も行い、ユーザＡは仲介機構のデータベースの局所空間Ａの領域のみに、ユーザＢは仲介機構のデータベースの局所空間Ｂの領域のみにアクセスを制限する。
【００１８】
本システムでは、更に、例えば局所空間Ａ、Ｂ内のユーザが、ＣＤのような所有物を本棚から取り出して利用した後、再び本棚に戻した場合、仲介機構３の所有物管理機能部３２はこの所有物の所要物特定情報の登録抹消及び再登録に基づき、所有物の利用履歴をデータベース３２の領域Ａ、Ｂに記録する。
【００１９】
本システムでは、更に、例えばユーザＡが局所空間Ａの本棚からＣＤを取り出し、ユーザＢに貸与し、ユーザＢが局所空間Ｂの本棚に格納した場合、局所空間Ａの内の局所空間管理機構２Ａにより仲介機構のデータベースの局所空間Ａの領域から当該ＣＤの登録が抹消され、局所空間Ｂ内の局所空間管理機構２Ｂにより該データベースの局所空間Ｂの領域に当該ＣＤが登録される。これに基づいて、所有物管理機能部３２は当該ＣＤがユーザＡからユーザＢに貸与されたことを判断し、この貸与履歴をデータベース３３の領域Ａ、Ｂに記録する。
【００２０】
従って、本システムによれば、異なる局所空間内の所有物を論理的に管理することができるとともにその所在を電子的に迅速に検索することができ、且つ各所有物の利用頻度を迅速に把握することができることに加えて、所有物が貸与されたことも迅速に把握することができる。
【００２１】
また、各局所空間内のセンサが該局所空間内の所有物の実際の所有者情報も供給するものとし、所有者情報も局所空間毎にデータベースに登録することもできる。
この場合には、ユーザは、所有者情報から、複数の局所空間内に所有者の異なる同じ種類の本やＣＤが格納されていても、誰のものか特定することができる。
また、ユーザＡからユーザＢへ所有権が移った場合でも、データベースの所有権情報を書き換えることで、譲渡の管理が可能となる。
【００２２】
尚、上述した実施例では、所有物特定情報発信源の格納部には、ＣＤの場合には、ＣＤ識別番号、アルバム名、アーチスト名などを、本の場合には、ＩＳＢＮ番号、書籍名、著者などを格納したが、ＣＤの場合にはＣＤ識別番号のみを、本の場合には、ＩＳＢＮのみを格納し、アルバム名、アーチスト名や書籍名、著者などは、ＣＤや本の登録時に、ネットワークを介してＣＤデータベースサーバや書籍データベースサーバからＣＤ識別番号やＩＳＢＮに基づいて取得し、局所空間管理機構または仲介機構のデータベースに書き込むこともできる。
また、上述した実施例では、各所有物の所有者情報を格納場所のセンサからデータベースに書き込んでいるが、パーソナルコンピュータ等でデータベースにアクセスして書き込むことができるとともに書き換えることができる。
【図面の簡単な説明】
【図１】本発明の第１の所有物管理方法を実施するシステムの構成例を示す図である。
【図２】本発明の第２の所有物管理方法を実施するシステムの構成例を示す図である。
【図３】本発明の第２の所有物管理方法における所有物特定情報取得及び登録手順を示す図である。
【符号の説明】
１  所有物
１１  所有物特定情報発信源
１２  通信機構
１３  所有物特定情報格納部
２  局所空間管理機構
２１  通信機能
２２  所有物管理機能
２３  データベース
２４  センサ
３  仲介機構
３１  中継機能
３２  所有物管理機能
３３  データベース
【図１】
2004262599.tif 000003
【図２】
2004262599.tif 000004
【図３】
2004262599.tif 000005